(57)【特許請求の範囲】
【請求項１】
シリンダー部材とピストン部材、該ピストン部材に結合されピストン部材を操作するノズルヘッドとを有するポンプ装置を、取付部材を介して容器本体に取着したポンプ式注出容器であって、
ノズルヘッドは、ノズルを突設した頂壁と、該頂壁下面に垂設されたステム保持筒および案内筒を有し、頂壁には、ステム保持筒の周囲の頂壁下面に内側バネ受け面が形成され、案内筒の周囲の頂壁下面に外側バネ受け面が形成されており、
取付部材は、内周縁に内側案内筒を連接した上壁と、該上壁の外周縁に垂設された螺着筒と、該螺着筒の下端に突設されたフランジとを有しており、
内側バネ受け面と上壁、および外側バネ受け面とフランジとの間の２箇所にノズルヘッドを上昇させるように付勢する圧縮バネを装着し、
２箇所の装着箇所のいずれか一方、または双方に所定の弾撥力を有する圧縮バネを装着することにより、内容物に対応させて必要な弾撥力を選択できるようにしたことを特徴とするポンプ式注出容器。
【発明の詳細な説明】
【０００１】
【発明の属する技術分野】
本発明は、ポンプ式注出容器、とくに容器本体の口筒部にポンプ装置を取着したポンプ式注出容器に関する。
【０００２】
【従来の技術】
内容物を収納した容器本体の口筒部に、ステムを有するピストン部材とシリンダー部材、ステムに連結されたノズルヘッドとからなるポンプ装置を装着し、ノズルヘッドを押圧操作することによって内容物を注出するようにしたポンプ式注出容器は、たとえば、実用新案登録第２５０４３１０号公報にみられるよう従来より周知である。
【０００３】
従来の注出容器は、シリンダー部材の上端部に取着した取付部材とノズルヘッドとの間に圧縮バネを装着しており、ノズルヘッドを押圧することによってステムを押し下げ、シリンダー室内の内容物を吐出孔よりステム内の通孔を通じてノズルから吐出し、ノズルヘッドの押圧を解いたときに、圧縮バネの弾撥力によって、ノズルヘッド、ステムを押し上げ、容器本体内から内容物をシリンダー室内に吸い上げるようにしている。
【０００４】
【発明が解決しようとする課題】
ところで、ポンプ式注出容器は、化粧料、食品などの注出容器として用いられ、内容物も粘液、液、クリーム状物などの形態で用いられている。
用いる内容物によって、その粘度、必要とする一押圧毎の注出量が異なり、それに応じて、対応する弾撥力を有する圧縮バネが用いられている。
【０００５】
しかしながら、圧縮バネを変えようとしても、従来の注出容器では、圧縮バネの装着個所は一個所であるため、一個の圧縮バネしか装着できなかった。
そのため一定の範囲内では、圧縮バネを取り変えることによって、収納する内容物の変更に対応できるが、内容物に対応する圧縮バネが装着できない場合には、ノズルヘッドの構造を変えなければならず、ポンプ式注出容器として、内容物の多様性に応じ、多種類のノズルヘッド、ポンプ装置を用意しておかなければならないという問題点があった。
【０００６】
本発明は、上記の問題点を考慮し、一つのポンプ装置において、バネの装着個所を複数とし、必要とする弾撥力を有する圧縮バネを、対応するいずれかの装着個所に装着することによって、圧縮バネを取り変え可能とし、内容物の変更に対応できるようにしたポンプ式注出容器を提供することを目的とする。
【０００７】
【課題を解決するための手段】
本発明は、上記の技術的課題を達成するため、ポンプ式注出容器として、シリンダー部材とピストン部材、該ピストン部材に結合されピストン部材を操作するノズルヘッドとを有するポンプ装置を、取付部材を介して容器本体に取着したポンプ式注出容器であって、ノズルヘッドは、ノズルを突設した頂壁と、該頂壁下面に垂設されたステム保持筒および案内筒を有し、頂壁には、ステム保持筒の周囲の頂壁下面に内側バネ受け面が形成され、案内筒の周囲の頂壁下面に外側バネ受け面が形成されており、取付部材は、内周縁に内側案内筒を連接した上壁と、該上壁の外周縁に垂設された螺着筒と、該螺着筒の下端に突設されたフランジとを有しており、内側バネ受け面と上壁、および外側バネ受け面とフランジとの間の２箇所にノズルヘッドを上昇させるように付勢する圧縮バネを装着し、２箇所の装着箇所のいずれか一方、または双方に所定の弾撥力を有する圧縮バネを装着することにより、内容物に対応させて必要な弾撥力を選択できるようにしたことを特徴とする構成を採用する。
【０００８】
【発明の実施の形態】
次に、本発明の実施形態について、図面を参照して説明する。
図１において、Ａは内容物を収納した容器本体、Ｂは取付部材、Ｃは取付部材Ｂを介して容器本体Ａに取着されたポンプ装置であり、いずれも合成樹脂を素材として成型されている。
【０００９】
容器本体Ａは、口筒部１と肩部２、底部が開放された円筒状の胴壁３と、胴壁３底端に嵌合された底板４とを具えている。
口筒部１の外周には、ネジ５が刻設されており、図２に示すように、肩部２の上面には、所定の個所にストッパー６と係止片７が立設されている。
【００１０】
図１に示すように、胴壁３の底端内周には、底板４を嵌着する膨出環を有する係合部８が形成されている。
底板４の中央部には、支持筒９が立設され、周縁近くの適宜の個所に開口１０が穿設されており、底板４周縁には前記係合部８に嵌合される膨出環を有する係合筒１１が立設されている。
胴壁３の内周には、周辺に弾性周壁１２を具え、上下摺動可能とした摺動板１３が嵌挿されている。
【００１１】
取付部材Ｂは、図３に示すように、上壁１５と螺着筒１６とを有しており、上壁１５の内周縁には、上下に延びる内側案内筒１７が連設されている。
螺着筒１６の内周には、前記口筒部１のネジ５に螺合するネジ１８が刻設されており、外周には所定間隔をおいてガイド１９が突設されている。
螺着筒１６の下端はフランジ２０となっており、フランジ２０の周縁には、外側案内筒２１が立設されている。
【００１２】
外側案内筒２１の上端には、外方に突出する係止環２２が設けられており、外側案内筒２１の中間部にはフランジ２３が突設され、該フランジ２３の外周縁には外筒２４が垂設されている。
前記フランジ２０の下面には、所定個所に前記肩部２に設けたストッパー６に係合する突起２５が突設されており、フランジ２０の所定個所には切り込み２６が入れられ、下方に突出し、係止片７に係合する係止爪２７が形成されている。
【００１３】
図１，４に示すように、ポンプ装置Ｃは、シリンダー部材Ｃ１とピストン部材Ｃ２と、該ピストン部材Ｃ２に連結されピストン部材Ｃ２を押圧操作するノズルヘッドＣ３を具えている。
シリンダー部材Ｃ１は、シリンダー３０と該シリンダー３０の底壁３１に配設した吸込み弁３２を具えている。
シリンダー３０の上端にはフランジ３３が設けられ、該フランジ３３の下面には、口筒部１内周に係合する密封リング３４が垂設されている。
【００１４】
底壁３１には、吸込み孔３５が設けられ、吸込み孔３５の上端周縁には段部が形成され、弁座３６が設けられている。
吸込み弁３２は、前記弁座３６に載置され、弁保持リング３７に複数の連結部３８を介して接続されている。
吸込み弁３２、弁保持リング３７と連結部３８は、エラストマー、柔軟な合成樹脂などを素材として一体成型されている。
連結部３８は、吸込み弁３２の周縁と弁保持リング３７の内周縁に、所定間隔毎に接続部を残して切り込みが入れられ、吸込み弁３２と弁保持リング３７との間に延在するように形成されている。
したがって、吸込み弁３２は上下方向に移動可能として弁保持リング３７に接続されている。
弁保持リング３７は、シリンダー３０の下端周縁の底壁３１上に載置され、シリンダー３０内周に設けられた膨出環３９によって、底壁３１上に締着されている。
【００１５】
ピストン部材Ｃ２は、有底のステム４０と、該ステム４０とシリンダー３０との間に上下摺動自在に装着された吐出弁４１とを具えている。
ステム４０は、所定個所に吐出孔４２が穿孔されており、吐出孔４２の下方には、吐出弁４１と係合する環状の凹部４３を形成した弁保持環４４が突設されている。
弁保持環４４の周縁には、所定の間隔をおいて前記弁保持リング３７に衝接する係止片４５が設けられている。
【００１６】
ステム４０の上端部は縮径され、該縮径部に複数の膨出環４６が突設されている。
ステム４０の内周下端部には、一定間隔をおいて複数個のリブ４７が設けられており、ステム４０内に嵌挿されたヘッドスペースを小さくする中軸４８を支持するようにしている。
【００１７】
吐出弁４１は、弁周壁５０と摺動周壁５１、両者を結ぶ連結部５２とからなっており、柔軟な材質を用いて成型されている。
弁周壁５０の下端部５３は、ステム４０の弁保持環４４に設けられた凹部４３に係合保持されており、ステム４０の上下動に応じてシリンダー３０内部と吐出孔４２への通路を開閉するようにしている。
摺動周壁５１は湾曲面となっており、上下の端部５４は、シリンダー３０内周に圧接されるようになっている。
【００１８】
ノズルヘッドＣ３は、帽冠状の頂壁６０と側筒壁６１、頂壁６０から斜め上方に突出するノズル６２とを具えている。
頂壁６０の下面には、中央部にステム保持筒６３が垂設され、その外側に案内筒６４が垂設されている。
【００１９】
ステム保持筒６３は、取付部材Ｂの内側案内筒１７内に嵌挿され、その内周の所定位置には、前記ステム４０上端に接合する位置決めリブが設けられており、その下方にステム４０上端部外周に設けた膨出環４６に係合する膨出環６５が設けられ、ステム４０を嵌着するようになっている。
ステム保持筒６３の下部は拡径されて係合筒６６となっており、その内周は、吐出弁４１の弁周壁５０外周に接合し、その下端は、吐出弁４１の連結部５２に係合可能になっている。
【００２０】
前記案内筒６４は、その内周が取付部材Ｂの螺着筒１６の外周を囲むように配設されており、前記ガイド１９に対応するよう内周に一定間隔をおいて、案内溝６７が刻設されている。
【００２１】
頂壁６０下面のステム保持筒６３の周囲には、内側バネ受け面６８が形成されており、該バネ受け面６８と取付部材Ｂの上壁１５との間に圧縮バネ６９が装着できるようになっている。
頂壁６０下面の案内筒６４の周囲は、外側バネ受け面７０が形成され、取付部材Ｂのフランジ２３上面との間に圧縮バネ７１が装着できるようになっている。
したがって、圧縮バネの装着個所が二個所設けられており、図４では双方に圧縮バネ６９，７１を装着しているが、装着個所のいずれか一方、または、双方に圧縮バネを装着することによって、内容物に必要な弾撥力を有する圧縮バネを選択し装着することができる。
【００２２】
側筒壁６１は、取付部材Ｂの外側案内筒２１外周に嵌挿されるよう配設されており、下端には内方に膨出する係止環７２が設けられ、外側案内筒２１の上端の係止環２２に係合するようになっている。
製品の運搬中におけるノズルヘッドＣ３の妄動を阻止するために、側筒壁６１下端と取付部材Ｂのフランジ２３との間に、着脱可能な馬蹄形のスペーサ７３が挿入されている。
【００２３】
次に、ポンプ装置Ｃの容器本体Ａへの取り付けについて説明する。
取り付けにあたって、まずシリンダー部材Ｃ１とピストン部材Ｃ２を結合し、シリンダー部材Ｃ１のシリンダー３０を内側案内筒１７の外周に沿って嵌挿し、フランジ３３を上壁１５に圧接するよう取付部材Ｂに嵌着する。
次いで、内容物に必要な弾撥力を有する圧縮バネ（６９，７１）を選択し、二個所の装着個所のいずれか一方、または双方に対応する圧縮バネを装着してノズルヘッドＣ３を取付部材Ｂの内側案内筒１７内に嵌挿し、ノズルヘッドＣ３のステム保持筒６３をピストン部材Ｃ２のステム４０に嵌着することによって、ポンプ装置Ｃを取付部材Ｂに装着する。
次に、ポンプ装置Ｃを装着した取付部材Ｂを容器本体Ａの口筒部１に螺着することによって注出容器が組み立てられる。
【００２４】
次に、図４，５を参照して本注出容器の使用態様と作用効果について説明する。
スペーサ７３を外してノズルヘッドＣ３を押し下げると、図５（ａ）に示すように、吐出弁４１の弁周壁５０の下端と弁保持環４４との間が離間され、シリンダー３０室内からステム４０の吐出孔４２に至る流路が形成され、シリンダー３０内の内容液がステム４０内に流入し、ステム４０の内孔を通ってノズル６２より吐出される。
【００２５】
次いで、ノズルヘッドＣ３から手を離すと、ノズルヘッドＣ３は装着された圧縮バネ（６９，７１）の付勢により上昇し、弁保持環４４と弁周壁５０との間隙が封鎖され、流路が閉鎖される。
さらに上昇するとシリンダー３０内が負圧となり、図５（ｂ）に示すように、吸込み弁３２が開かれ、容器本体Ａ内の内容液がシリンダー３０室内に吸い上げられ、ノズルヘッドＣ３は、図４に示す上位置にもどる。
その際、底板４の開口１０から大気が導入され容器本体Ａ内の摺動板１３が上昇し、容器本体Ａ内の内容液は常圧に維持される。
したがって、ノズルヘッドＣ３を押圧操作することによって一定量の内容物を注出することができる。
【００２６】
【発明の効果】
本発明は、上記のように構成されているから、次の効果を奏する。
圧縮バネの装着個所を二個所とすることによって、内容物に対応させて圧縮バネを適宜に選択してポンプ装置に装着することができる。
そのため、一つのポンプ装置に装着する圧縮バネを変えるだけで、内容物の変更に対応できるポンプ式注出容器が得られるようになった。
【図面の簡単な説明】
【図１】本発明のポンプ式注出容器の一部断面正面図である。
【図２】容器本体の説明図で、（ａ）は平面図、（ｂ）は容器本体の一部の正面図である。
【図３】取付部材の説明図で、（ａ）は平面図、（ｂ）は一部断面正面図、（ｃ）は底面図である。
【図４】ポンプ装置の説明図である。
【図５】  ポンプ装置の作動説明図で、（ａ）は液吐出時、（ｂ）は液吸い上げ時の状態を示すものである。
【符号の説明】
Ａ          容器本体
Ｂ          取付部材
Ｃ          ポンプ装置
Ｃ１        シリンダー部材
Ｃ２        ピストン部材
Ｃ３        ノズルヘッド
１          口筒部
２          肩部
３          胴壁
５、１８    ネジ
１３          摺動板
１５          上壁
１６          螺着筒
１７          内側案内筒
２０、２３、３３    フランジ
２１          外側案内筒
３０、        シリンダー
３２          吸込み弁
３５          吸込み孔
３６          弁座
４０          ステム
４１          吐出弁
４２          吐出孔
４４          弁保持環
５０          弁周壁
５１          摺動周壁
６２          ノズル
６３          ステム保持筒
６４          案内筒
６８          内側バネ受け面
６９、７１    圧縮バネ
７０          外側バネ受け面
【図１】
0004096388.tif 000002
【図２】
0004096388.tif 000003
【図３】
0004096388.tif 000004
【図４】
0004096388.tif 000005
【図５】
0004096388.tif 000006